(57)【要約】【課題】一般住宅において、小屋裏、通気層及び室内の換気に適し、雨水の入り込みを確実に防止し、また、可視側において開口の存在によって外観が損なわれることがなく、しかも、製造並びに施工が容易な、通気用開口を形成するための住宅用建材を提供することを課題とする。【解決手段】第一部材２とこれに結合される第二部材３とから成り、第一部材２の一端面は、その厚さの半分以下の厚さの第一カバー部６が延設された段部５とされ、第二部材３の一端面は、その厚さの半分以下の厚さの第二カバー部８が延設された段部７とされ、第一部材２と第二部材３の結合時に、第一カバー部６と第二カバー部８とがそれらの間に通気スペース１１を保持して対向配置され、第一部材２と第二部材３の結合に伴って、第一カバー部６側と第二カバー部８側のそれぞれに、通気スペース１１に連通する通気口９、１０が上下にずれて形成される。【選択図】図１
2011144602.tif 000002
【特許請求の範囲】
【請求項１】
第一部材と、前記第一部材に結合される第二部材とから成り、
前記第一部材の一端面は、その厚さの半分以下の厚さの第一カバー部が延設された段部とされ、前記第二部材の一端面は、その厚さの半分以下の厚さの第二カバー部が延設された段部とされ、
前記第一部材と前記第二部材の結合時に、前記第一カバー部と第二カバー部とがそれらの間に通気スペースを保持して対向配置され、前記第一部材と前記第二部材の結合に伴って、前記第一カバー部側と前記第二カバー部側のそれぞれに、前記通気スペースに連通する通気口が上下にずれて形成されることを特徴とする、通気用開口を形成するための住宅用建材。
【請求項２】
前記第一部材と前記第二部材は同一形状であって、その一方が反転されて他方に結合される、請求項１に記載の通気用開口を形成するための住宅用建材。
【請求項３】
前記第一カバー部及び前記第二カバー部の端部に切欠きが形成され、前記第一部材と前記第二部材の結合時に、前記第一カバー部の端面が前記第二部材の前記段部に当接すると共に、前記第二カバー部の端面が前記第一部材の前記段部に当接するようにされ、前記切欠きによって前記通気口が形成される、請求項１又は２に記載の通気用開口を形成するための住宅用建材。
【請求項４】
前記第一カバー部及び前記第二カバー部の付け根部に開口が形成され、前記第一部材と前記第二部材の結合時に、前記第一カバー部の端面が前記第二部材の前記段部に当接すると共に、前記第二カバー部の端面が前記第一部材の前記段部に当接するようにされることにより、前記付け根部に形成された各開口によって前記通気口が形成される、請求項１又は２に記載の通気用開口を形成するための住宅用建材。
【請求項５】
前記第一カバー部及び前記第二カバー部の内面に、連続又は不連続にて横方向に延びる突条が形成され、前記突条を介して前記第一カバー部と前記第二カバー部とが連結可能にされ、連続する前記突部には上下方向に抜ける通気口が適宜形成され、前記第一部材と前記第二部材の結合時に、前記第一カバー部の端面と前記第二部材の前記段部との間に隙間ができるようにすると共に、前記第二カバー部の端面と前記第一部材の前記段部との間に隙間ができるようにし、前記各隙間を以て前記通気口となした、請求項１又は２に記載の通気用開口を形成するための住宅用建材。
【請求項６】
前記第一カバー部及び前記第二カバー部の各内側に、適宜間隔を置いてそれぞれ前記第一カバー部及び前記第二カバー部よりも長い内側カバー部が形成され、前記各内側カバー部に切欠き又は開口が設けられ、前記第一部材と前記第二部材の結合時に、前記第一カバー部とその内側カバー部との間に、前記第二部材側の前記内側カバー部が非接触状態に進入してその端面が前記第一部材の段部に当接すると共に、前記第二カバー部とその内側カバー部との間に、前記第一部材側の前記内側カバー部が非接触状態に進入してその端面が前記第二部材の段部に当接するようにした、請求項１又は２に記載の通気用開口を形成するための住宅用建材。
【請求項７】
前記第二カバー部が前記第一カバー部よりも長く形成され、前記第二カバー部の端部に、切欠き又は開口が形成された、請求項１に記載の通気用開口を形成するための住宅用建材。
【請求項８】
前記第二カバー部の端部が内方に延長されて、前記第一部材の前記段部に当接する座部が形成された、請求項７に記載の通気用開口を形成するための住宅用建材。
【請求項９】
前記第一部材の高さが前記第二カバー部の高さよりも低くされ、前記第一部材の内側面に横に延びる係止段が複数段形成され、前記第二カバー部には、前記係止段に対応する係止段が形成されると共に、その係止段より下方に位置させて適宜開口が穿設された、請求項１に記載の通気用開口を形成するための住宅用建材。
【請求項１０】
内面側に凹陥部が形成された第一部材と第二部材とを、前記凹陥部同士を対向させて結合して成り、前記第一部材の前記凹陥部の下端部に第一の通気口を設けると共に、前記第二部材の前記凹陥部の上端部に第二の通気口を設けて成り、前記第一部材の凹陥部と前記第二部材の凹陥部とにより、前記第一の通気口及び前記第二の通気口に連通する通気スペースが形成されることを特徴とする通気用開口を形成するための住宅用建材。
【発明の詳細な説明】
【技術分野】
【０００１】
本発明は、通気用開口を形成するための住宅用建材に関するものであり、より詳細には、一般住宅における小屋裏、通気層及び室内の換気を行う場合に設けられる通気用開口を形成するための住宅用建材に関するものである。
【背景技術】
【０００２】
一般住宅において、小屋裏、通気層及び室内の換気を行う場合に通気口が形成される。この通気口は、通気性の点を考えた場合には、単に開口を設ければ足りるが、通気口が外壁等に設けられる場合には、雨雪や虫類の入り込みを防止するための配慮が必要となり、また、人の目につく個所に配置される場合には、開口が目立つことによって外観が損なわれることがないよう配慮する必要がある。
【０００３】
従来、この種建材としては、例えば、特許文献１（特開平２−２７２１５３号公報）や特許文献２（特開平３−５５３３５号公報）において、棟部及び軒先部に設ける換気部材が提案されている。これらにおいては、連通孔を設けたプラスチックプレートを積層後溶断溶着することで形成された換気用建材が用いられている。これらの建材は換気部材専用に作成されるものであり、通気及び防雨性能面では優れているが、設置位置が限定されるだけでなく、住宅の概観意匠の面において、十分な配慮がなされていないという問題があった。
【０００４】
これらの問題に対し、例えば、特許文献３（特開平７−２２９２５６）において、換気機能付鼻隠し材が提案されている。この特許文献３に記載の建材は、主にケイ酸カルシウム系材料等の無機材料製本体部の裏面に突設された張出し部に、横長の換気口を複数設けたものである。しかしながら、この場合においても製品に単に開孔がされているのみで、開口の奥が見える等、意匠上の問題が解決されていないばかりか、雨水の浸入という観点からも問題がある。
【先行技術文献】
【特許文献】
【０００５】
【特許文献１】特開平２−２７２１５３号公報
【特許文献２】特開平３−５５３３５号公報
【特許文献３】特開平７−２２９２５６号公報
【発明の概要】
【発明が解決しようとする課題】
【０００６】
上述したように、従来提案されている建材は、使用部位が限定され、また、意匠上及び雨水浸入上の問題があったので、本発明はそのような問題のない、即ち、一般住宅において、小屋裏、通気層及び室内の換気に適し、雨水の入り込みを確実に防止し、また、可視側において開口の存在によって外観が損なわれることがなく、しかも、製造並びに施工が容易な、通気用開口を形成するための住宅用建材を提供することを課題とする。
【課題を解決するための手段】
【０００７】
上記課題を解決するための請求項１に記載の発明は、第一部材と、前記第一部材に結合される第二部材とから成り、前記第一部材の一端面は、その厚さの半分以下の厚さの第一カバー部が延設された段部とされ、前記第二部材の一端面は、その厚さの半分以下の厚さの第二カバー部が延設された段部とされ、前記第一部材と前記第二部材の結合時に、前記第一カバー部と第二カバー部とがそれらの間に通気スペースを保持して対向配置され、前記第一部材と前記第二部材の結合に伴って、前記第一カバー部側と前記第二カバー部側のそれぞれに、前記通気スペースに連通する通気口が上下にずれて形成されることを特徴とする、通気用開口を形成するための住宅用建材である。
【０００８】
一実施形態においては、前記第一部材と前記第二部材は同一形状であって、その一方が反転されて他方に結合される。
【０００９】
また、一実施形態においては、前記第一カバー部及び前記第二カバー部の端部に切欠きが形成され、前記第一部材と前記第二部材の結合時に、前記第一カバー部の端面が前記第二部材の前記段部に当接すると共に、前記第二カバー部の端面が前記第一部材の前記段部に当接するようにされ、前記切欠きによって前記通気口が形成される。
【００１０】
更に、一実施形態においては、前記第一カバー部及び前記第二カバー部の付け根部に開口が形成され、前記第一部材と前記第二部材の結合時に、前記第一カバー部の端面が前記第二部材の前記段部に当接すると共に、前記第二カバー部の端面が前記第一部材の前記段部に当接するようにされることにより、前記付け根部に形成された各開口によって前記通気口が形成される。
【００１１】
更に、一実施形態においては、前記第一カバー部及び前記第二カバー部の内面に、連続又は不連続にて横方向に延びる突条が形成され、前記突条を介して前記第一カバー部と前記第二カバー部とが連結可能にされ、連続する前記突部には上下方向に抜ける通気口が適宜形成され、前記第一部材と前記第二部材の結合時に、前記第一カバー部の端面と前記第二部材の前記段部との間に隙間ができるようにすると共に、前記第二カバー部の端面と前記第一部材の前記段部との間に隙間ができるようにし、前記各隙間を以て前記通気口とされる。
【００１２】
更に、一実施形態においては、前記第一カバー部及び前記第二カバー部の各内側に、適宜間隔を置いてそれぞれ前記第一カバー部及び前記第二カバー部よりも長い内側カバー部が形成され、前記各内側カバー部に切欠き又は開口が設けられ、前記第一部材と前記第二部材の結合時に、前記第一カバー部とその内側カバー部との間に、前記第二部材側の前記内側カバー部が非接触状態に進入してその端面が前記第一部材の段部に当接すると共に、前記第二カバー部とその内側カバー部との間に、前記第一部材側の前記内側カバー部が非接触状態に進入してその端面が前記第二部材の段部に当接するようにされる。
【００１３】
更に、一実施形態においては、前記第二カバー部が前記第一カバー部よりも長く形成され、前記第二カバー部の端部に、前記通気口を形成するための切欠き又は開口が設けられる。その場合、前記第二カバー部の端部が内方に延長されて、前記第一部材の前記段部に当接する座部が形成されることがある。
【００１４】
更に、一実施形態においては、前記第一部材の高さが前記第二カバー部の高さよりも低くされ、前記第一部材の内側面に横に延びる係止段が複数段形成され、前記第二カバー部には、前記係止段に対応する係止段が形成されると共に、その係止段より下方に位置させて適宜開口が穿設される。
【００１５】
上記課題を解決するための請求項１０に記載の発明は、内面側に凹陥部が形成された第一部材と第二部材とを、前記凹陥部同士を対向させて結合して成り、前記第一部材の前記凹陥部の下端部に第一の通気口を設けると共に、前記第二部材の前記凹陥部の上端部に第二の通気口を設けて成り、前記第一部材の凹陥部と前記第二部材の凹陥部とにより、前記第一の通気口及び前記第二の通気口に連通する通気スペースが形成されることを特徴とする通気用開口を形成するための住宅用建材である。
【発明の効果】
【００１６】
本発明は上述したとおりのものであって、可視側において通気口が目立たず、雨水の浸入防止の面においても優れるという効果があり、この建材を、小屋裏換気のために破風部・鼻隠し部・軒天部等に用い、通気層換気のために外壁材・水切り等の通気層廻りに用い、また、室内換気のために幅木・床板・欄間・開口部周り等に用いることで、一般住宅における小屋裏、通気層及び室内の換気が可能となる効果がある。
【００１７】
また、本発明に係る住宅用建材は、第一部材及びこれに組み合わせられる第二部材とで構成されるため、各部材の製造が容易で、内部に曲がりくねった空気通路を有する通気用開口の形成施工を容易且つ低コストにてなし得る効果がある。
【図面の簡単な説明】
【００１８】
【図１】本発明の一実施形態の斜視図である。
【図２】図１におけるＡ−Ａ線断面図である。
【図３】本発明の他の実施形態の斜視図である。
【図４】本発明の更に他の実施形態の斜視図である。
【図５】本発明の更に他の実施形態の斜視図である。
【図６】本発明の更に他の実施形態の斜視図である。
【図７】本発明の更に他の実施形態の斜視図である。
【図８】本発明の更に他の実施形態の斜視図である。
【図９】本発明の更に他の実施形態の斜視図である。
【図１０】本発明の更に他の実施形態の斜視図である。
【発明を実施するための形態】
【００１９】
以下に、本発明を実施するための好ましい形態について、添付図面に依拠して説明する。なお、本発明に係る通気用開口を形成するための住宅用建材１は、横向きにして用いられることが多いため、以下の説明は、結合される一方の部材（第一部材２）が上側に配置され、他方の部材（第二部材３）が下側に配置されることを前提にしたものとなっている。住宅用建材１を縦向きにして用いる場合には、二つの部材は左右方向から組み合わせられることになる。
【００２０】
本住宅用建材１は、上側に配置される第一部材２と、下側に配置されて第一部材２に組合わせ結合される第二部材３とから成るもので、第一部材２と第二部材３とを組合わせることで、通気用開口４を備えた厚手で長尺の住宅用建材１が構成される。第一部材２と第二部材３は、例えば、繊維素材を包含した窯業系材料を用い、押出成形後に打ち抜き加工等を行うことにより製造することができ、その幅及び長さは任意のものとなし得る。第一部材２と第二部材３は、木製とすることもできる。
【００２１】
第一部材２には、その一端面の端部を本体部２ａの厚さの半分以下の厚さにて延長することにより、段部５と第一カバー部６とが形成される。また、第二部材３にも、その一端面の端部を本体部３ａの厚さの半分以下の厚さにて延長することにより、段部７と第二カバー部８とが形成される。そして、後述するように、第一部材２と第二部材３とを結合した際に、第一カバー部６側と第二カバー部８側に、通気口９、１０が上下にずれて形成される。
【００２２】
また、第一カバー部６と第二カバー部８；がそれぞれ本体部２ａ、３ａの半分以下の厚さであるため、第一部材２と第二部材３を結合した際に、第一カバー部６と第二カバー部８との間に、通気口９、１０に連通する通気スペース１１が形成される。かくして、一方の通気口９から通気スペース１１を介して他方の通気口１０に抜け、また、その逆方向に抜ける空気通路ａが形成される（特に図２参照）。
【００２３】
好ましい実施形態においては、第一部材２と第二部材３とが同一形状にされ、第一部材２が反転されて第二部材３に組合わせ結合される。図１乃至図４、並びに、図８に示される実施形態は、第一部材２と第二部材３とが同一形状となるもので、それぞれ異なる形態が示されている。
【００２４】
図１及び図２に示される実施形態においては、可視側（施工後人の目に触れる側）に位置する第一カバー部６及び反対側（後面側）に位置する第二カバー部８の端部に、それぞれ適宜間隔置きに切欠き１２、１３が形成されている。
【００２５】
この実施形態においては、第一部材２を反転して第二部材３に結合した際に、第一カバー部６の下端面が第二部材３の段部７に当接すると共に、第二カバー部８の上端面が第一部材２の段部５に当接することにより、切欠き１２と段部７並びに切欠き１３と段部５とにより、それぞれ通気口９、１０が画成される。この場合、第一部材２の切欠き１２と第二部材３の段部７とにより画成される開口が可視側通気口９となり、第二部材３の切欠き１３と第一部材２の段部５とにより画成される開口が後面側通気口１０となる。そして、第一カバー部６と第二カバー部８との間に、通気口９、１０にそれぞれ連通する通気スペース１１が形成され、以て、通気口９、通気スペース１１及び通気口１０を通る空気通路ａが形成される
【００２６】
図３に示される実施形態においては、第二カバー部８が可視側に位置し、第一カバー部６が後面側に位置する。そして、第一カバー部６及び第二カバー部８のそれぞれの付け根部に、適宜間隔置きに開口が形成されて、通気口９、１０とされる。この実施形態の場合も、第一カバー部６と第二カバー部８との間に、通気口９、１０にそれぞれ連通する通気スペース１１が形成され、以て、通気口９、通気スペース１１及び通気口１０を通る空気通路ａが形成される。
【００２７】
図４に示される実施形態においては、第一カバー部６及び第二カバー部８の各内側面に、一連に、あるいは、不連続にて横方向に延びる突条１４、１５が配設され、これら突条１４、１５を介して第一カバー部６と第二カバー部８とが連結される。好ましくは、第一カバー部６の内側面に、第二カバー部８の突条１５が収まる溝１６が形成され、また、第二カバー部８の内側面に、第一カバー部６の突条１４が収まる溝１７が形成される。
【００２８】
図４に示す例のように、突条１４、１５が不連続の場合には、各突条１４、１５間において通気可能となる。また、突条１４、１５が一連の場合には、突条１４、１５に適宜間隔置きに上下方向に抜ける開口を設けることにより、突条１４、１５を通しての通気が可能となる。また、第一部材２と第二部材３の結合時に、第一カバー部６の端面と第二部材３の段部７との間、並びに、第二カバー部８の端面と第一部材２の段部５との間に隙間ができるようにし、この隙間を以て通気口９、１０となす。かくして、通気口９、通気スペース１１及び通気口１０を通る空気通路ａが形成される。
【００２９】
図５に示される実施形態においては、後面側に位置する第二カバー部８が可視側の第一カバー部６よりも高く形成され、第二カバー部８の端部に、通気口１０を形成するための切欠き又は開口が形成される（図５に示す例では切欠き１８が形成されている）。  
【００３０】
この実施形態の場合は、第一部材２と第二部材３の結合時に、第二カバー部８の上端面と第一部材２の段部５は当接し合うが、第一カバー部６の下端面と第二部材３の段部７との間には隙間ができる。この隙間が通気口９とされ、以て、通気口９、通気スペース１１及び通気口１０を通る空気通路が形成される。
【００３１】
この実施形態の変形例として、第二カバー部８の上端部が横方向に延長されて、第一部材２の段部５に当接する座部１７が形成されることがある（図６参照）。この座部１７は、段部５に当接して第一部材２を受けるものであり、これによって第一部材２と第二部材３の結合関係がより安定する。
【００３２】
更に他の変形例として、第一部材２に、第二カバー部８の上端部を係止する係止溝２０が形成され、第二カバー部８の上端部に、この係止溝２０に対応する形状の係合部２１を設ける場合がある（図７参照）。この場合の第一部材２と第二部材３の結合は、例えば、係合部２１を横方向から係止溝２０に進入させ、第二部材３を下方に回すことにより行うことができ、あるいは、第二部材３を第一部材２の側方から嵌挿することにより行うことができる。
【００３３】
図８に示される実施形態は、第一カバー部６及び第二カバー部８の各内方に、適宜間隔を置いてそれぞれ第一カバー部６及び第二カバー部８よりも長い（高い）内側カバー部２２、２３を設け、各内側カバー部２２、２３に内部通気用の切欠き２４、２５又は開口を設けたものである。この実施形態の場合は、第一部材２と第二部材３との結合時に、第一部材２における第一カバー部６と内側カバー部２２との間に、第二部材３側の内側カバー部２３が非接触状態に進入して、その下端部が段部７に当接し、また、第二カバー部８と内側カバー部２３との間に、第一部材２側の内側カバー部２２が非接触状態に進入して、その上端部が段部５に当接する。
【００３４】
そして、内側カバー部２２、２３は、それぞれ第一カバー部６及び第二カバー部８よりも高いため、第一部材２と第二部材３の結合時に、第一カバー部６の下端面と第二部材３の段部７との間、並びに、第二カバー部８の上端面と第一部材２の段部５との間にそれぞれ隙間ができるが、この隙間が通気口９、１０となる。かくして、通気口９、通気スペース１１（内部通気用の切欠き又は開口）及び通気口１０を通る空気通路ａが形成される。なお、この実施形態の場合は、第一部材２と第二部材３を同一形状のものとすることができる。
【００３５】
図９に示される実施形態は、第一部材２の高さが第二カバー部８の高さよりも低くなるようにし、第一部材２の内側面に横に延びる係止段２６を複数段形成し、第二カバー部８には、係止段２６に対応する係止段２７を設けると共に、係止段２７より下方に位置させて適宜開口２８を設けたものである。この場合の第一部材２と第二部材３の結合は、係止段２６と係止段２７とを横方向から嵌合させることにより行う。
【００３６】
この実施形態においては、第二カバー部８が第一部材２よりも高いため、第一部材２と第二部材３の結合時に、第一カバー部６の下端面と第二部材３の段部７との間に隙間ができるが、この隙間が通気口９となる。また、第二カバー部８の開口２８が通気口１０となる。かくして、通気口９、通気スペース１１及び通気口１０を通る空気通路ａが形成される。
【００３７】
図１０に示される実施形態は、それぞれ内面側に凹陥部３０、３１を形成した第一部材２と第二部材を、凹陥部３０、３１同士を対向させて結合するものである。この場合可視側の第一部材２には、凹陥部３０の下端部に開口を設けて通気口９とし、後面側の第二部材３には、凹陥部３１の上端部に開口を設けて通気口１０とする。この実施形態においては、凹陥部３０と凹陥部３１とで形成されるスペースが通気スペース１１となって、通気口９、通気スペース１１及び通気口１０を通る空気通路ａが形成される。
【００３８】
本発明に係る住宅用建材は、上述したいずれの実施形態においても、第一部材２と第二部材３とが結合されて構成されるものであるため、製造が容易で、運搬・保管にも便利なものとなる。そして、第一部材２と第二部材３とが結合されることにより、内外通気口９、１０と、内外通気口９、１０に連通する内部の通気スペース１１が形成され、これら内外通気口９、１０と通気スペース１１を通る空気通路が自動形成される。
【００３９】
そして、可視側の通気口９と後面側の通気口１０とが上下にずれて形成されるため、可視側において通気口９が目立たず、その箇所の見栄えが損なわれるおそれがないのと同時に、雨水が入り込みにくくなるという作用効果を奏する。従って、一般住宅の建設に際してこの建材を用いることにより、破風部・鼻隠し部・軒天部等における小屋裏換気、外壁材・水切り等の通気層廻りにおける通気層換気、並びに、幅木・床板・欄間・開口部周り等における室内換気等を容易且つ低コストにて実施することが可能となる。
【００４０】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００４１】
１            住宅用建材
２            第一部材
３            第二部材
５、７        段部
６            第一カバー部
８            第二カバー部
９、１０      通気口
１１          通気スペース
１２、１３    切欠き
１４、１５    突条
１６、１７    溝
１８          切欠き
１９          座部
２０          係止溝
２１          係合部
２２、２３    内側カバー部
２４、２５    切欠き
【図１】
2011144602.tif 000003
【図２】
2011144602.tif 000004
【図３】
2011144602.tif 000005
【図４】
2011144602.tif 000006
【図５】
2011144602.tif 000007
【図６】
2011144602.tif 000008
【図７】
2011144602.tif 000009
【図８】
2011144602.tif 000010
【図９】
2011144602.tif 000011
【図１０】
2011144602.tif 000012